【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
バーナであって、
少なくとも１つの空気パイプと、
少なくとも１つの燃料パイプと、
前記バーナの下流端部に配置される混合ユニットの複数の群であって、前記混合ユニットの複数の群のそれぞれは、同軸上に、相互に隣接して配列され、混合ユニットの各群は、前記少なくとも１つの燃料パイプに接続される少なくとも１つの燃料チャネルと、前記少なくとも１つの空気パイプに接続される少なくとも１つの空気チャネルとを備える、混合ユニットの複数の群と
を備え、
前記少なくとも１つの燃料チャネルの出口および前記少なくとも１つの空気チャネルの出口は、前記少なくとも１つの燃料チャネルの出口から流動する燃料が、前記少なくとも１つの空気チャネルの出口から流動する空気と混合され、それによって、前記空気および前記燃料の多段混合を達成するように、相互に対して角度を付けられ、
混合ユニットの各群は、複数の燃料チャネル、複数の空気チャネル、またはそれらの組み合わせを備え、
前記混合ユニットの複数の群は、混合ユニットの第１の群と、混合ユニットの第２の群とを備え、
前記混合ユニットの第１の群および前記混合ユニットの第２の群は、３つの段を伴う発火板上に配列され、前記３つの段は、第１の段と、第２の段と、第３の段とを備え、
前記混合ユニットの第１の群は、前記発火板の第１の段上に配列される第１の複数の空気チャネルと、前記発火板の第２の段上に配列される第１の複数の燃料チャネルとを備え、前記第１の複数の空気チャネルのそれぞれの中心縦方向軸は、前記第１の複数の燃料チャネルのうちの対応するものの中心縦方向軸に対して角度を付けられ、
前記混合ユニットの第２の群は、前記発火板の第２の段上に配列される第２の複数の空気チャネルと、前記発火板の第３の段上に配列される第２の複数の燃料チャネルとを備え、前記第２の複数の空気チャネルのそれぞれの中心縦方向軸は、前記第２の複数の燃料チャネルのうちの対応するものの中心縦方向軸に対して角度を付けられる、バーナ。
【請求項２】
前記混合ユニットの複数の群は、前記バーナの中心縦方向軸に沿って垂直に配置される、請求項１に記載のバーナ。
【請求項３】
前記第１の複数の空気チャネルのそれぞれの中心縦方向軸は、前記第１の複数の燃料チャネルのうちの対応するものの中心縦方向軸に対して約４５度〜１２０度に及ぶ角度を付けられる、請求項１に記載のバーナ。
【請求項４】
前記第１の複数の空気チャネルは、前記発火板の第１の段の周囲に円周方向に配列される、請求項１に記載のバーナ。
【請求項５】
前記第１の複数の燃料チャネルは、バーナ本体の中心縦方向軸から半径方向に外向きに延在されるように配列される、請求項１に記載のバーナ。
【請求項６】
前記第２の複数の空気チャネルのそれぞれの中心縦方向軸は、前記第２の複数の燃料チャネルのうちの対応するものの中心縦方向軸に対して約４５度〜１２０度に及ぶ度数において角度を付けられる、請求項１に記載のバーナ。
【請求項７】
前記第２の複数の空気チャネルはそれぞれ、前記少なくとも１つの空気パイプと接続するために前記発火板の第１および第２の段を通過する通路となるように配列される、請求項１に記載のバーナ。
【請求項８】
前記第２の複数の燃料チャネルは、前記発火板の第３の段の周辺の周囲に円周方向に配列される、請求項１に記載のバーナ。
【請求項９】
前記第１の複数の燃料チャネルは、バーナ本体の中心縦方向軸から半径方向に外向きに延在されるように配列される、請求項１に記載のバーナ。
【請求項１０】
前記第１の複数の空気チャネルのそれぞれの出口の断面は、円形であり、前記出口の半径は、前記発火板の第２の段の外側縁までの前記空気チャネルの底面の垂直距離に等しい、請求項１に記載のバーナ。
【請求項１１】
前記第２の複数の燃料チャネルのそれぞれの出口の断面は、円形であり、前記出口の半径は、前記発火板の第３の段の外側縁までの前記第２の段上の各空気チャネルの底面の垂直距離に等しい、請求項１に記載のバーナ。
【請求項１２】
前記発火板の第１の段上の前記空気チャネルの合計断面積は、前記発火板の３つの段上の全ての前記空気チャネルの合計断面積の約５０％〜８０％を占める、請求項１に記載のバーナ。
【請求項１３】
前記バーナの内側に前記混合ユニットの複数の群を包含するように構成されるバーナ筐体をさらに備える、請求項１に記載のバーナ。
【請求項１４】
前記混合ユニットの複数の群の前に配列される先細ノズルをさらに備え、前記先細ノズルは、混合区域において発生される火炎を収束し、これを前記バーナから出射するように構成される、請求項１３に記載のバーナ。
【請求項１５】
前記バーナ本体の中心縦方向軸に対する前記先細ノズルの収束角度は、２０度〜７０度に及ぶ、請求項１４に記載のバーナ。
【請求項１６】
耐火性材料が、前記先細ノズルの外面と前記バーナ筐体の内面との間に充填される、請求項１５に記載のバーナ。
【請求項１７】
混合ユニットの第３の群をさらに備え、前記混合ユニットの第１の群、前記混合ユニットの第２の群、および前記混合ユニットの第３の群は、３つの段を伴う発火板上に配列され、前記３つの段は、第１の段と、第２の段と、第３の段とを備え、前記混合ユニットの第３の群は、前記発火板の第３の段上に配列される第１の複数の空気チャネルと、前記発火板の第２の段上に配列される第１の複数の燃料チャネルとを備え、前記第１の複数の空気チャネルのそれぞれの中心縦方向軸は、前記第１の複数の燃料チャネルのうちの対応するものの中心縦方向軸に対して角度を付けられる、請求項１に記載のバーナ。
【請求項１８】
前記混合ユニットの第３の群の第１の複数の空気チャネルは、前記バーナ本体の中心において前記少なくとも１つの燃料パイプまたはその一部によって置換される、請求項１７に記載のバーナ。
【請求項１９】
前記第１の複数の空気チャネルは、前記発火板の第１の段の周辺の周囲に均一または不均一に離間される、請求項１に記載のバーナ。
【請求項２０】
前記第１の複数の燃料チャネルの数は、前記第１の複数の空気チャネルの数に比例するか、または比例しない、請求項１に記載のバーナ。
【手続補正２】
【補正対象書類名】明細書
【補正対象項目名】００６２
【補正方法】変更
【補正の内容】
【００６２】
本発明の他の目的および特徴が、本明細書、請求項、および添付される図の精査によって明白となるであろう。
本願明細書は、例えば、以下の項目も提供する。
（項目１）
バーナであって、
少なくとも１つの空気パイプと、
少なくとも１つの燃料パイプと、
前記バーナの下流端部に配置される混合ユニットの複数の群であって、前記混合ユニットの複数の群のそれぞれは、同軸上に、相互に隣接して配列され、混合ユニットの各群は、前記少なくとも１つの燃料パイプに接続される少なくとも１つの燃料チャネルと、前記少なくとも１つの空気パイプに接続される少なくとも１つの空気チャネルとを備える、混合ユニットの複数の群と
を備え、
前記少なくとも１つの燃料チャネルの出口および前記少なくとも１つの空気チャネルの出口は、前記少なくとも１つの燃料チャネルの出口から流動する燃料が、前記少なくとも１つの空気チャネルの出口から流動する空気と混合され、それによって、前記空気および前記燃料の多段混合を達成するように、相互に対して角度を付けられる、バーナ。
（項目２）
前記混合ユニットの複数の群は、前記バーナの中心縦方向軸に沿って垂直に配置される、項目１に記載のバーナ。
（項目３）
混合ユニットの各群は、複数の燃料チャネル、複数の空気チャネル、またはそれらの組み合わせを備える、項目１に記載のバーナ。
（項目４）
前記混合ユニットの複数の群は、混合ユニットの第１の群と、混合ユニットの第２の群とを備える、項目３に記載のバーナ。
（項目５）
前記混合ユニットの第１の群および前記混合ユニットの第２の群は、３つの段を伴う発火板上に配列され、前記３つの段は、第１の段と、第２の段と、第３の段とを備える、項目４に記載のバーナ。
（項目６）
前記混合ユニットの第１の群は、前記発火板の第１の段上に配列される第１の複数の空気チャネルと、前記発火板の第２の段上に配列される第１の複数の燃料チャネルとを備え、前記第１の複数の空気チャネルのそれぞれの中心縦方向軸は、前記第１の複数の燃料チャネルのうちの対応するものの中心縦方向軸に対して角度を付けられる、項目５に記載のバーナ。
（項目７）
前記第１の複数の空気チャネルのそれぞれの中心縦方向軸は、前記第１の複数の燃料チャネルのうちの対応するものの中心縦方向軸に対して約４５度〜１２０度に及ぶ角度を付けられる、項目６に記載のバーナ。
（項目８）
前記第１の複数の空気チャネルのそれぞれの中心縦方向軸は、前記第１の複数の燃料チャネルのうちの対応するものの中心縦方向軸に対して約９０度において角度を付けられる、項目７に記載のバーナ。
（項目９）
前記第１の複数の空気チャネルは、前記発火板の第１の段の周囲に円周方向に配列される、項目６に記載のバーナ。
（項目１０）
前記第１の複数の空気チャネルは、前記発火板の第１の段の周辺の周囲に均一に離間される、項目６に記載のバーナ。
（項目１１）
前記第１の複数の空気チャネルは、前記発火板の第１の段の周辺の周囲に不均一に離間される、項目６に記載のバーナ。
（項目１２）
前記第１の複数の燃料チャネルは、バーナ本体の中心縦方向軸から半径方向に外向きに延在されるように配列される、項目６に記載のバーナ。
（項目１３）
前記第１の複数の燃料チャネルの数は、前記第１の複数の空気チャネルの数に比例するか、または比例しない、項目６に記載のバーナ。
（項目１４）
前記第１の複数の燃料チャネルの数は、前記第２の複数の空気チャネルの数に等しい、項目１３に記載のバーナ。
（項目１５）
前記第１の複数の空気チャネルのそれぞれの出口の断面は、円形であり、前記出口の半径は、前記発火板の第２の段の外側縁までの前記空気チャネルの底面の垂直距離に等しい、項目６に記載のバーナ。
（項目１６）
前記混合ユニットの第２の群は、前記発火板の第２の段上に配列される第２の複数の空気チャネルと、前記発火板の第３の段上に配列される第２の複数の燃料チャネルとを備え、前記第２の複数の空気チャネルのそれぞれの中心縦方向軸は、前記第２の複数の燃料チャネルのうちの対応するものの中心縦方向軸に対して角度を付けられる、項目６に記載のバーナ。
（項目１７）
前記第２の複数の空気チャネルのそれぞれの中心縦方向軸は、前記第２の複数の燃料チャネルのうちの対応するものの中心縦方向軸に対して約４５度〜１２０度に及ぶ度数において角度を付けられる、項目１６に記載のバーナ。
（項目１８）
前記第２の複数の空気チャネルのそれぞれの中心縦方向軸は、前記第２の複数の燃料チャネルのうちの対応するものの中心縦方向軸に対して約９０度において角度を付けられる、項目１７に記載のバーナ。
（項目１９）
前記第２の複数の空気チャネルはそれぞれ、前記少なくとも１つの空気パイプと接続するために前記発火板の第１および第２の段を通過する通路となるように配列される、項目１６に記載のバーナ。
（項目２０）
前記第２の複数の燃料チャネルは、前記発火板の第３の段の周辺の周囲に円周方向に配列される、項目１６に記載のバーナ。
（項目２１）
前記第２の複数の燃料チャネルの数は、前記第２の複数の空気チャネルの数に比例するか、または比例しない、項目１６に記載のバーナ。
（項目２２）
前記第２の複数の燃料チャネルの数は、前記第２の複数の空気チャネルの数に等しい、項目１６に記載のバーナ。
（項目２３）
前記第２の複数の燃料チャネルのそれぞれの出口の断面は、円形であり、前記出口の半径は、前記発火板の第３の段の外側縁までの前記第２の段上の各空気チャネルの底面の垂直距離に等しい、項目１６に記載のバーナ。
（項目２４）
前記混合ユニットの複数の群は、混合ユニットの第１の群と、混合ユニットの第２の群と、混合ユニットの第３の群とを備える、項目３に記載のバーナ。
（項目２５）
前記混合ユニットの第１の群、前記混合ユニットの第２の群、および前記混合ユニットの第３の群は、３つの段を伴う発火板上に配列され、前記３つの段は、第１の段と、第２の段と、第３の段とを備える、項目２４に記載のバーナ。
（項目２６）
前記混合ユニットの第１の群は、前記発火板の第１の段上に配列される第１の複数の空気チャネルと、前記発火板の第２の段上に配列される第１の複数の燃料チャネルとを備え、前記第１の複数の空気チャネルのそれぞれの中心縦方向軸は、前記第１の複数の燃料チャネルのうちの対応するものの中心縦方向軸に対して角度を付けられる、項目２５に記載のバーナ。
（項目２７）
前記第１の複数の空気チャネルのそれぞれの中心縦方向軸は、前記第１の複数の燃料チャネルのうちの対応するものの中心縦方向軸に対して約４５度〜１２０度に及ぶ度数において角度を付けられる、項目２６に記載のバーナ。
（項目２８）
前記第１の複数の空気チャネルのそれぞれの中心縦方向軸は、前記第１の複数の燃料チャネルのうちの対応するものの中心縦方向軸に対して約９０度において角度を付けられる、項目２７に記載のバーナ。
（項目２９）
前記第１の複数の空気チャネルは、前記発火板の第１の段の周囲に円周方向に配列される、項目２６に記載のバーナ。
（項目３０）
前記第１の複数の空気チャネルは、前記発火板の第１の段の周辺の周囲に均一に離間される、項目２９に記載のバーナ。
（項目３１）
前記第１の複数の空気チャネルは、前記発火板の第１の段の周辺の周囲に不均一に離間される、項目２９に記載のバーナ。
（項目３２）
前記第１の複数の燃料チャネルは、バーナ本体の中心縦方向軸から半径方向に外向きに延在されるように配列される、項目２６に記載のバーナ。
（項目３３）
前記第１の複数の燃料チャネルの数は、前記第１の複数の空気チャネルの数に比例するか、または比例しない、項目２６に記載のバーナ。
（項目３４）
前記第１の複数の燃料チャネルの数は、前記第２の複数の空気チャネルの数に等しい、項目２６に記載のバーナ。
（項目３５）
前記第１の複数の空気チャネルのそれぞれの出口の断面は、円形であり、前記出口の半径は、前記発火板の第２の段の外側縁までの前記空気チャネルの底面の垂直距離に等しい、項目２６に記載のバーナ。
（項目３６）
前記混合ユニットの第２の群は、前記発火板の第２の段上に配列される第２の複数の空気チャネルと、前記発火板の第３の段上に配列される第２の複数の燃料チャネルとを備え、前記第２の複数の空気チャネルのそれぞれの中心縦方向軸は、前記第２の複数の燃料チャネルのうちの対応するものの中心縦方向軸に対して角度を付けられる、項目２６に記載のバーナ。
（項目３７）
前記第２の複数の空気チャネルのそれぞれの中心縦方向軸は、前記第２の複数の燃料チャネルのうちの対応するものの中心縦方向軸に対して約４５度〜１２０度に及ぶ度数において角度を付けられる、項目３６に記載のバーナ。
（項目３８）
前記第２の複数の空気チャネルのそれぞれの中心縦方向軸は、前記第２の複数の燃料チャネルのうちの対応するものの中心縦方向軸に対して約９０度において角度を付けられる、項目３７に記載のバーナ。
（項目３９）
前記第２の複数の空気チャネルはそれぞれ、前記少なくとも１つの空気パイプと接続するために前記発火板の第１および第２の段を通過する通路となるように配列される、項目３６に記載のバーナ。
（項目４０）
前記第２の複数の燃料チャネルは、前記発火板の第３の段の周辺の周囲に円周方向に配列される、項目３６に記載のバーナ。
（項目４１）
前記第２の複数の燃料チャネルの数は、前記第２の複数の空気チャネルの数に比例するか、または比例しない、項目３６に記載のバーナ。
（項目４２）
前記第２の複数の燃料チャネルの数は、前記第２の複数の空気チャネルの数に等しい、項目３６に記載のバーナ。
（項目４３）
前記第２の複数の燃料チャネルのそれぞれの出口の断面は、円形であり、前記出口の半径は、前記発火板の第３の段の外側縁までの前記第２の段上の各空気チャネルの底面の垂直距離に等しい、項目４２に記載のバーナ。
（項目４４）
前記混合ユニットの第３の群は、前記発火板の第３の段上に配列される第１の複数の空気チャネルと、前記発火板の第２の段上に配列される第１の複数の燃料チャネルとを備え、前記第１の複数の空気チャネルのそれぞれの中心縦方向軸は、前記第１の複数の燃料チャネルのうちの対応するものの中心縦方向軸に対して角度を付けられる、項目３６に記載のバーナ。
（項目４５）
前記混合ユニットの第３の群の第１の複数の空気チャネルは、前記バーナ本体の中心において前記少なくとも１つの燃料パイプまたはその一部によって置換される、項目４４に記載のバーナ。
（項目４６）
前記混合ユニットの第３の群の第２の複数の燃料チャネルは、前記第３の段の内面の周囲に環状に配列される、項目４５に記載のバーナ。
（項目４７）
前記第２の複数の燃料チャネルのそれぞれの中心縦方向軸は、前記バーナ本体の中心縦方向軸に対して鋭角において角度を付けられる、項目４６に記載のバーナ。
（項目４８）
前記第２の複数の燃料チャネルのそれぞれの中心縦方向軸は、前記バーナ本体の中心縦方向軸に対して３０度〜９０度の範囲から選択される角度において角度を付けられる、項目４７に記載のバーナ。
（項目４９）
前記発火板の第１の段上の前記空気チャネルの合計断面積は、前記発火板の３つの段上の全ての前記空気チャネルの合計断面積の約５０％〜８０％を占める、項目３６に記載のバーナ。
（項目５０）
前記発火板の第１の段上の前記空気チャネルの合計断面積は、前記発火板の３つの段上の全ての前記空気チャネルの合計断面積の約６０％を占める、項目４９に記載のバーナ。
（項目５１）
前記バーナの内側に前記混合ユニットの複数の群を包含するように構成されるバーナ筐体をさらに備える、項目１に記載のバーナ。
（項目５２）
前記混合ユニットの複数の群の前に配列される先細ノズルをさらに備え、前記先細ノズルは、混合区域において発生される火炎を収束し、これを前記バーナから出射するように構成される、項目５１に記載のバーナ。
（項目５３）
前記バーナ本体の中心縦方向軸に対する前記先細ノズルの収束角度は、２０度〜７０度に及ぶ、項目５２に記載のバーナ。
（項目５４）
耐火性材料が、前記先細ノズルの外面と前記バーナ筐体の内面との間に充填される、項目５３に記載のバーナ。
（項目５５）
バーナを使用するための方法であって、前記方法は、
前記バーナの少なくとも１つの空気パイプおよび少なくとも１つの燃料パイプを提供することと、
前記バーナの下流端部に混合ユニットの複数の群を配置することであって、前記混合ユニットの複数の群のそれぞれは、同軸上に、相互に隣接して配列され、混合ユニットの各群は、前記少なくとも１つの燃料パイプに接続される少なくとも１つの燃料チャネルと、前記少なくとも１つの空気パイプに接続される少なくとも１つの空気チャネルとを備える、ことと、
前記少なくとも１つの燃料チャネルの出口および前記少なくとも１つの空気チャネルの出口が相互に対して角度を付けられるように、前記少なくとも１つの燃料チャネルの出口および前記少なくとも１つの空気チャネルの出口を配列することと、
前記空気を前記少なくとも１つの空気パイプに供給することと、
前記燃料を前記少なくとも１つの燃料パイプに供給することと、
前記混合ユニットの複数の群によって、前記少なくとも１つの燃料チャネルの出口から流動する燃料を、前記少なくとも１つの空気チャネルの出口から流動する空気と混合し、それによって、前記空気および前記燃料の多段混合を達成することと
を含む、方法。
（項目５６）
前記混合ユニットの複数の群は、前記バーナの中心縦方向軸に沿って垂直に配置される、項目５５に記載の方法。
（項目５７）
混合ユニットの各群は、複数の燃料チャネル、複数の空気チャネル、およびそれらの組み合わせを備える、項目５５に記載の方法。
（項目５８）
前記混合ユニットの複数の群は、混合ユニットの第１の群と、混合ユニットの第２の群とを備える、項目５７に記載の方法。
（項目５９）
３つの段を伴う発火板上に前記混合ユニットの第１の群および前記混合ユニットの第２の群を配列することをさらに含み、前記３つの段は、第１の段と、第２の段と、第３の段とを備える、項目５８に記載の方法。
（項目６０）
前記混合ユニットの第１の群は、前記発火板の第１の段上に配列される第１の複数の空気チャネルと、前記発火板の第２の段上に配列される第１の複数の燃料チャネルとを備え、前記第１の複数の空気チャネルのそれぞれの中心縦方向軸は、前記第１の複数の燃料チャネルのうちの対応するものの中心縦方向軸に対して角度を付けられる、項目５９に記載の方法。
（項目６１）
前記第１の複数の空気チャネルのそれぞれの中心縦方向軸は、前記第１の複数の燃料チャネルのうちの対応するものの中心縦方向軸に対して約９０度において角度を付けられる、項目６０に記載の方法。
（項目６２）
前記第１の複数の空気チャネルは、前記発火板の第１の段の周囲に円周方向に配列される、項目６０に記載の方法。
（項目６３）
前記第１の複数の燃料チャネルは、前記バーナ本体の中心縦方向軸から半径方向に外向きに延在されるように配列される、項目６０に記載の方法。
（項目６４）
前記第１の複数の空気チャネルのそれぞれの出口の断面は、円形であり、前記出口の半径は、前記発火板の第２の段の外側縁までの前記空気チャネルの底面の垂直距離に等しい、項目６０に記載の方法。
（項目６５）
前記混合ユニットの第２の群は、前記発火板の第２の段上に配列される第２の複数の空気チャネルと、前記発火板の第３の段上に配列される第２の複数の燃料チャネルとを備え、前記第２の複数の空気チャネルのそれぞれの中心縦方向軸は、前記第２の複数の燃料チャネルのうちの対応するものの中心縦方向軸に対して角度を付けられる、項目６０に記載の方法。
（項目６６）
前記第２の複数の空気チャネルのそれぞれの中心縦方向軸は、前記第２の複数の燃料チャネルのうちの対応するものの中心縦方向軸に対して約９０度において角度を付けられる、項目６５に記載の方法。
（項目６７）
前記少なくとも１つの空気パイプと接続するために前記発火板の第１および第２の段を通過する通路となるように前記第２の複数の空気チャネルのそれぞれを配列することをさらに含む、項目６５に記載の方法。
（項目６８）
前記第２の複数の燃料チャネルは、前記発火板の第３の段の周辺の周囲に円周方向に配列される、項目６５に記載の方法。
（項目６９）
前記第２の複数の燃料チャネルのそれぞれの出口の断面は、円形であり、前記出口の半径は、前記発火板の第３の段の外側縁までの前記第２の段上の各空気チャネルの底面の垂直距離に等しい、項目６５に記載の方法。
（項目７０）
前記混合ユニットの複数の群は、混合ユニットの第１の群と、混合ユニットの第２の群と、混合ユニットの第３の群とを備える、項目５７に記載の方法。
（項目７１）
３つの段を伴う発火板上に前記混合ユニットの第１の群、前記混合ユニットの第２の群、および前記混合ユニットの第３の群を配列することをさらに含み、前記３つの段は、第１の段と、第２の段と、第３の段とを備える、項目７０に記載の方法。
（項目７２）
前記混合ユニットの第１の群は、前記発火板の第１の段上に配列される第１の複数の空気チャネルと、前記発火板の第２の段上に配列される第１の複数の燃料チャネルとを備え、前記第１の複数の空気チャネルのそれぞれの中心縦方向軸は、前記第１の複数の燃料チャネルのうちの対応するものの中心縦方向軸に対して角度を付けられる、項目７１に記載の方法。
（項目７３）
前記第１の複数の空気チャネルのそれぞれの中心縦方向軸は、前記第１の複数の燃料チャネルのうちの対応するものの中心縦方向軸に対して約９０度において角度を付けられる、項目７２に記載の方法。
（項目７４）
前記第１の複数の空気チャネルは、前記発火板の第１の段の周囲に円周方向に配列される、項目７１に記載の方法。
（項目７５）
前記第１の複数の空気チャネルのそれぞれの出口の断面は、円形であり、前記出口の半径は、前記発火板の第２の段の外側縁までの前記空気チャネルの底面の垂直距離に等しい、項目７１に記載の方法。
（項目７６）
前記混合ユニットの第２の群は、前記発火板の第２の段上に配列される第２の複数の空気チャネルと、前記発火板の第３の段上に配列される第２の複数の燃料チャネルとを備え、前記第２の複数の空気チャネルのそれぞれの中心縦方向軸は、前記第２の複数の燃料チャネルのうちの対応するものの中心縦方向軸に対して角度を付けられる、項目７１に記載の方法。
（項目７７）
前記第２の複数の空気チャネルのそれぞれの中心縦方向軸は、前記第２の複数の燃料チャネルのうちの対応するものの中心縦方向軸に対して約９０度において角度を付けられる、項目７６に記載の方法。
（項目７８）
前記第２の複数の燃料チャネルは、前記発火板の第３の段の周辺の周囲に円周方向に配列される、項目７６に記載の方法。
（項目７９）
前記第２の複数の燃料チャネルのそれぞれの出口の断面は、円形であり、前記出口の半径は、前記発火板の第３の段の外側縁までの前記第２の段上の各空気チャネルの底面の垂直距離に等しい、項目７６に記載の方法。
（項目８０）
前記混合ユニットの第３の群は、前記発火板の第３の段上に配列される第１の複数の空気チャネルと、前記発火板の第２の段上に配列される第１の複数の燃料チャネルとを備え、前記第１の複数の燃料チャネルのそれぞれの中心縦方向軸は、前記第１の複数のガスチャネルのうちの対応するものの中心縦方向軸に対して角度を付けられる、項目７６に記載の方法。
（項目８１）
前記混合ユニットの第３の群の第２の複数の燃料チャネルは、前記第３の段の内面の周囲に環状に配列される、項目８０に記載の方法。
（項目８２）
前記第２の複数の燃料チャネルのそれぞれの中心縦方向軸は、前記バーナ本体の中心縦方向軸に対して鋭角において角度を付けられる、項目８１に記載の方法。
（項目８３）
前記第２の複数の燃料チャネルのそれぞれの中心縦方向軸は、前記バーナ本体の中心縦方向軸に対して３０度〜９０度の範囲から選択される角度において角度を付けられる、項目８２に記載の方法。
（項目８４）
前記発火板の第１の段上の前記空気チャネルの合計断面積は、前記発火板の３つの段上の全ての前記空気チャネルの合計断面積の約５０％〜８０％を占める、項目７１に記載の方法。
（項目８５）
前記発火板の第１の段上の前記空気チャネルの合計断面積は、前記発火板の３つの段上の全ての前記空気チャネルの合計断面積の約６０％を占める、項目８４に記載の方法。
（項目８６）
前記バーナの内側に前記混合ユニットの複数の群を包含するように構成されるバーナ筐体を提供することをさらに含む、項目５５に記載の方法。
（項目８７）
前記混合ユニットの複数の群の前に配列される先細ノズルを提供することをさらに含み、前記先細ノズルは、混合区域において発生される火炎を収束し、これを前記バーナから出射するように構成される、項目８６に記載の方法。
（項目８８）
前記バーナ本体の中心縦方向軸に対する前記先細ノズルの収束角度は、２０度〜７０度に及ぶ、項目８７に記載の方法。
（項目８９）
前記先細ノズルの外面と前記バーナ筐体の内面との間に耐火性材料を充填することをさらに含む、項目８７に記載の方法。
（項目９０）
バーナであって、
少なくとも１つの空気パイプと、
少なくとも１つの燃料パイプと、
前記バーナの下流端部に配置される混合ユニットの複数の群であって、前記混合ユニットの複数の群のそれぞれは、同軸上に、相互に隣接して配列され、混合ユニットの各群は、前記少なくとも１つの燃料パイプに接続される少なくとも１つの燃料チャネルと、前記少なくとも１つの空気パイプに接続される少なくとも１つの空気チャネルとを備える、混合ユニットの複数の群と
を備え、
前記少なくとも１つの燃料チャネルの出口および前記少なくとも１つの空気チャネルの出口は、前記少なくとも１つの燃料チャネルの出口から流動する燃料が、前記少なくとも１つの空気チャネルの出口から流動する空気と混合されるように、相互に対して特定の度数において角度を付けられ、
前記少なくとも１つの空気チャネルから流動する前記空気の空気速度は、少なくとも１つの負圧が前記空気および燃料の混合場所において形成されるように、前記少なくとも１つの燃料チャネルから流動する前記燃料の燃料速度を上回るように構成される、バーナ。
（項目９１）
制御された火炎を発生させるためのバーナであって、
前記バーナのバーナ本体を包含するように配列されるバーナ筐体と、
前記バーナの出口に配列される先細ノズルと、
前記先細ノズルに隣接する前記バーナ本体の下流に沿って配列される中心火炎形成機構および周辺火炎形成機構と
を備え、
前記中心火炎形成機構は、前記バーナ本体の軸方向に対して角度を付けられる複数の中心空気チャネルと、複数の中心燃料チャネルとを備え、
前記周辺火炎形成機構は、前記バーナ本体の軸方向に対して角度を付けられる複数の周辺空気チャネルと、複数の周辺燃料チャネルとを備え、
それによって、燃料および空気の混合物が、前記中心火炎形成機構および周辺火炎形成機構を通して前記先細ノズルから出射され、内側火炎および周辺火炎を有する前記制御された火炎を形成し、前記内側火炎は、前記周辺火炎によって包囲され、前記制御された火炎の所望の形状を形成する、バーナ。